(57)【特許請求の範囲】
【請求項１】
掃除機本体と連通する吸込風路が形成され、表面に空気取入口を有する本体ケースと、該本体ケース内に回転可能に配置され、中空に形成された軸体と該軸体に設けられた塵埃を掻き出す清掃体を有する回転体とを備え、前記清掃体と前記軸体とを連通させ前記空気取入口から取入れた空気を吹き出す吹出口を前記清掃体に直接形成したことを特徴とする電気掃除機の床ブラシ。
【請求項２】
清掃体を中空に形成した軸体よりも外方に突出させるとともに軟質材で形成したことを特徴とする請求項１記載の電気掃除機の床ブラシ。
【請求項３】
前記回転体の端部に設けられた送風ファンと、前記回転体及び前記送風ファンを駆動するモータとを備え、前記送風ファンにより取入れた空気を吹き出す吹出口を前記回転体に設けたことを特徴とする請求項１又は請求項２記載の電気掃除機の床ブラシ。
【発明の詳細な説明】
【０００１】
【発明の属する技術分野】
この発明は、電気掃除機の床ブラシに関するものである。
【０００２】
【従来の技術】
図１６は例えば特開平５−４２０７７号公報に示された従来の床ブラシを示す縦断面図である。図において、１は床ブラシ、２は上面に吸気口（図示せず）が形成された本体ケース、２ａは本体ケース２下面に形成された吸込口、３は本体ケース２に設けられた車輪、４は本体ケース２内に回転自在に配置されたロータリーブラシであり、４ａは中空に形成された軸体、４ｂは軸体４ａに形成され、絨毯と接触して絨毯内のゴミをかきだすブレードであり、その先端部が絨毯と接触する高さに設けられている。５はベルト６を介してロータリブラシ４を回転させる駆動モータである。また、７は軸体４ａに形成されたノズル穴であり、ブレード４ｂに対してほぼ直角の位置に形成されている。本体ケース２に形成された吸気口から吸気された空気は軸体４ａ内に取り入れられてノズル穴７から外側へ吹き出される構造となっている。また、８は絨毯面であり、８ａは絨毯の毛である。
【０００３】
次に動作について説明する。
床ブラシ１の下面を絨毯面８上に密着させ、掃除機本体（図示せず）の吸塵動作を開始する。清掃面が絨毯であるのでロータリーブラシ４を回転させる。ロータリーブラシ４の回転により、ブレード４ｂは絨毯と接触して絨毯内に入り込んでゴミをかきだす。また、吸気口から吸い込まれた空気は軸体４ａの内部を通ってノズル穴７から外側へ吹き出される。この吹き出された空気はノズル穴７が絨毯面に対向する位置にきたときに絨毯面８上のゴミを舞いあげて、そのゴミはブレード４ｂによりかき出されたゴミとともに掃除機本体内へ吸込まれる。
【０００４】
【発明が解決しようとする課題】
上記のような従来の電気掃除機の床ブラシでは、ブレード４ａとノズル穴７が離れているため、ブレード４ａで絨毯の毛をかき分けても、ノズル穴７が絨毯面に対向する位置にくる前に毛は元の位置に戻ってしまうので、かき分けた絨毯の深部に直接風を吹き付けにくいという問題点があった。
【０００５】
この発明は、かかる問題点を解決するためになされたもので、空気の吹出口をブレード（清掃体）の近傍に形成し、ブレードによる絨毯にかき分けと、絨毯深部への風の吹き付けをほぼ同時に行うようにした電気掃除機の床ブラシを得ることを目的とする。
【０００６】
【課題を解決するための手段】
この発明にかかる床ブラシにおいては、掃除機本体と連通する吸込風路が形成され、表面に空気取入口を有する本体ケースと、該本体ケース内に回転可能に配置され、中空に形成された軸体と該軸体に設けられた塵埃を掻き出す清掃体を有する回転体とを備え、前記清掃体と前記軸体とを連通させ前記空気取入口から取入れた空気を吹き出す吹出口を前記清掃体に直接形成したものである。
【０００８】
また、清掃体を軸体よりも外方に突出させるとともに軟質材で形成したものである。
【００１２】
また、前記回転体の端部に設けられた送風ファンと、前記回転体及び前記送風ファンを駆動するモータとを備え、前記送風ファンにより取入れた空気を吹き出す吹出口を前記回転体に設けたものである。
【００１３】
【発明の実施の形態】
実施の形態１．
図１はこの発明の実施形態１を示す電気掃除機の床ブラシの縦断面図、図２は分解図、図３はロータリーブラシの拡大図、図４は床ブラシの横断面図、図５はロータリーブラシの動作を示す説明図である。図において、１は床ブラシ、９は本体ケース、１０は上ケース、１１は下面に吸込風路１１ａを形成する下ケース、１２は空気取入口１２ａが形成された上フタであり、取りはずしノブ１３により上ケース１０に着脱可能に設けられている。１４は本体ケース９の外側に家具等に衝突しても傷をつけないように本体ケース９外周に設けられた軟質材よりなるバンパーであり、上ケース１０、下ケース１１及び上フタ１２に挟持されている。１５は上ケース１０と下ケース１１を固定するネジである。１６は本体ケース９に上下動可能に設けられたカップリング、１７はカップリング１６に回転可能に設けられたエルボであり、延長管（図示せず）に接続されて掃除機本体（図示せず）に連通している。１８はエルボ１７の抜けを防止するストッパー、１９はネジ２０によりエルボ１７に取り付けられたエルボカバーである。また、２１は下ケース１１に取り付けられた前車輪、２２は後車輪である。
【００１４】
２３は本体ケース９に回転可能に設けられたロータリーブラシであり、２３ａは中空状の軸体、２３ｂは軸体２３ａに設けられた清掃機能をもつブレード（清掃体）である。２４は軸体２３ａに形成された空気の吹出口であり、ブレード２３ｂの近傍に設けられ、かつブレード２３ｂの回転方向（矢印Ｘ）に対して後ろ側に設けられている。２５はロータリーブラシ２３の両端に設けられたエアータービンであり、吸入口２５ａ、排出口２５ｂが形成されている。吸入口２５ａから入った空気を排出口２５ｂへ排出することによりロータリーブラシ２３を回転させている。また、吸入口２５ａから入った空気の１部は接続口２５ｃから軸体２３ａの中に入り、吹出口２４より外側（矢印Ｙ）へ吹き出される。
【００１５】
次に動作について説明する。掃除機本体（図示せず）の運転を開始し、ロータリブラシ２３を回転させて絨毯面を掃除する場合、空気取入口１２ａから吸い込まれた空気はエアータービン２５の吸入口２５ａへ入り、軸体２３ａの内部を通って吹出口２４から図１中の矢印Ｙに示すように外側へ吹き出される。また、ブレード２３ｂは、図１、図５に示すように、ロータリブラシ２３の回転により絨毯と接触して絨毯の毛をかき分けながらゴミを掻き出す。吹出口２４はブレード２３ｂの近傍でかつ回転方向に対して後ろ側に形成されているので、吹出口２４から吹き出された空気は、ブレード２３ｂによりかき分けた絨毯の深部へ直接あたり、絨毯内のゴミは舞いあげられて掃除機本体に吸い込まれる。
【００１６】
実施形態１によれば、絨毯の毛をかき分けるブレードの近傍に空気の吹出口を形成したので、毛足がもとの位置に戻る前に絨毯の深部に確実に空気を当てることができ、ゴミの清掃能力が向上する。
【００１７】
実施形態２．
図６はこの発明の実施形態２である床ブラシのロータリーブラシを示す動作の説明図である。実施形態１ではロータリーブラシのブレード近傍に吹出口を形成したが、実施形態２はロータリーブラシのビーダに直接、吹出口を形成したものである。図において、２３はロータリーブラシ、２６は他の清掃体を示す絨毯面を叩くビーダであり、２７はビーダ２６に形成された吹出口である。なお、他の構成については実施形態１と同様である。ロータリブラシ２３の回転により、ビータ２６が絨毯面と接触し、絨毯の毛をかき分けるとと同時に、絨毯深部へ風を吹き込み、ゴミを舞い上げる。絨毯の毛のかき分けと同時に空気を吹き出すので、確実に絨毯の深部まで空気をあてることができる。
【００１８】
実施形態３．
図７はこの発明の実施形態３である床ブラシのロータリーブラシを示す動作の説明図である。実施形態３では、ロータリーブラシのブレードに直接、吹出口を形成している。図において、２３はロータリーブラシ、２８は吹出口２７が形成され、かつ軟質材で形成されたブレードである。なお、他の構成については実施形態１と同様である。ロータリーブラシ２３の回転により、実施形態１同様、ブレード２７は絨毯の毛をかき分けて、ゴミをかき出す。実施形態３によれば、絨毯の毛をかき分けるブレード２７に直接空気の吹出口２８を形成しているので、確実に絨毯の深部にまで空気を吹き込むことができるとともに、軟質材で形成されているので、絨毯を傷つけることがないため、被床面に対し、先端部をぎりぎりの位置まで長くすることができ、吸塵性能が向上する。
【００１９】
実施形態４．
図８はこの発明の実施形態４である床ブラシのロータリーブラシ部分を示す斜視図、図９は一部断面斜視図、図１０は縦断面図、図１１は横断面図、図１２は分解図である。図において、実施形態１と同一または相当部分には同一の符号を付し、説明は省略する。図中、２９はロータリーブラシ２３の軸体であり、螺旋状に凹部２９ａが形成されている。３０は軟質材で形成されたブレードであり、凹部２９ａと嵌合する底部３０ａと中空状の管部３０ｂが形成されている。３１は管部３０ｂに形成された吹出口、２５ｄはエアータービン２５に形成された接続ノズルであり、管部３０ｂと接続する。そして、吸入口２５ａから入った空気の一部は接続ノズル２５ｄを介して管部３０ｂに入り、吹出口３１から外側へ吹き出される。ブレード３０は底部３０ａを凹部２９ａの端部から挿入することで軸体２９に設置される。
【００２０】
実施形態１同様、ロータリーブラシ２３が回転するとブレード３０が絨毯と接触して絨毯の毛をかき分け、さらに、ブレード３０の管部３０ｂに形成された吹出口３１から空気を吹き出しているので、絨毯深部に空気を当ててゴミを舞いあげ、ゴミは掃除機本体に吸い込まれる。
【００２１】
実施形態４によれば、実施形態１と同様に、絨毯の毛をかき分けると共に、絨毯深部に空気を吹き出すことができるので、清掃能力を向上させることができるだけでなく、軸体にブレードを挿入してロータリーブラシを組立ているので、製造工程において、組立易く、またブレードが破損した場合に、ブレードだけ交換することもできる。
【００２２】
実施形態５．
図１３はこの発明の実施形態５である電気掃除機の床ブラシを示す横断面図である。図において、実施形態１と同一または相当部分には同一の符号を付し、説明は省略する。実施形態５は、上述した実施形態１のエアータービンを駆動モータにしたものである。図中、３２はファン３３を内蔵し、ロータリーブラシ２３の端部に設けられたファン室であり、取入口３２ａ、排気口３２ｂが形成されている。３４はベルト３５を介してファン３２を回転させる駆動モータである。駆動モータ３４によりロータリーブラシ２３が回転すると、取入口３２ａから空気を取り入れて排気口３２ｂを介して軸体２３ａの中に入る。そして、吹出口２４から空気を吹き出して絨毯内のゴミを舞いあげる。モータの回転力で強制的に風を送り込んでいるので、吸引力の弱い電気掃除機でも強力で安定した風の吹き付けができ、吸塵性能が向上する。
なお、図１３では実施形態１のロータリーブラシ２３の形状を示したが、これに限るものではなく、実施形態２から実施形態４に示したロータリーブラシでもよい。
【００２３】
実施形態６．
図１４はこの発明の実施形態６である床ブラシのロータリーブラシ部の横断面図である。図において、実施形態１と同一または相当部分には同一符号を付し説明は省略する。図中、３６は軸体２３ａに形成された吹出口であり、吹出口３６はゴミが吸い込まれる吸込風路１１ａ（図１、図２参照）に向かって傾斜している。この構成により、ゴミは吸込口側に舞い上げられるので、掃除機本体内に吸込み易くなる。
【００２４】
なお、実施形態６では実施形態１のロータリーブラシで示したが、これに限るものではなく、実施形態２のビーダに設けた吹出口、実施形態３のブレードに設けた吹出口、実施形態４のブレードに設けた吹出口、実施形態５のロータリーブラシに設けた吹出口であっても同様の効果が得られることは言うまでもない。
【００２５】
実施形態７．
図１５はこの発明は実施形態７である床ブラシのロータリーブラシ部の斜視図である。図において、実施形態１と同一または相当部分には同一符号を付し説明は省略する。図中、３７は軸体２３ａに形成された吹出口であり、エアータービン２５からはなれるにつれて開口面積が大きくなるように形成されいる。空気の吹き出し力は接続口２５ｃから離れるにしたがって弱くなるので、その分開口面積を広くして空気を吹き出すことにより、空気の吹き出し力を均一化することができる。
【００２６】
なお、実施形態７では実施形態１のロータリーブラシで示したが、これに限るものではなく、実施形態２のビーダに設けた吹出口、実施形態３のブレードに設けた吹出口、実施形態４のブレードに設けた吹出口、実施形態５のロータリーブラシの吹出口、実施形態６の吹出口であっても同様の効果が得られることは言うまでもない。
【００２７】
また、上記実施形態１、２、３、４、６、７では、ロータリーブラシの両側にエアータービンを設けたがどちらか一方であってもよい。また、実施形態５の駆動モータの場合はファンをロータリーブラシの一方に設けたが、両側に設けてもよい。
【００２８】
【発明の効果】
この発明は、以上に説明したように構成されているので、次のような効果を奏する。
【００２９】
掃除機本体と連通する吸込風路が形成され、表面に空気取入口を有する本体ケースと、該本体ケース内に回転可能に配置され、中空に形成された軸体と該軸体に設けられた塵埃を掻き出す清掃体を有する回転体とを備え、前記清掃体に前記軸体と連通して前記空気取入口から取り入れた空気を吹き出す吹出口を形成したので、絨毯を掃除するとき、確実に絨毯の深部にまで空気を吹き込むことができ、ゴミの吸塵性能が向上する。
【００３１】
また、清掃体を軸体よりも外方に突出させるとともに軟質材で形成したので、清掃面と接触しても傷つけることがないので、先端部を長く設けることができ、吸塵性能が向上する。
【００３５】
さらに、回転体の端部に送風ファンを設けるとともに、回転体を駆動する駆動モータを備えたので、モータの回転力で強制的に風を送ることができ、吸引力の弱い電気掃除機でも強力で安定した風の吹き付けができ、吸塵性能が向上する。
【図面の簡単な説明】
【図１】この発明の実施形態１を示す電気掃除機の床ブラシの縦断面図である。
【図２】この発明の実施形態１を示す電気掃除機の床ブラシの分解図である。
【図３】この発明の実施形態１を示す床ブラシのロータリーブラシの拡大図である。
【図４】この発明の実施形態１を示す床ブラシの横断面図である。
【図５】この発明の実施形態１を示す床ブラシのロータリーブラシの動作を示す図である。
【図６】この発明の実施形態２を示す床ブラシのロータリーブラシの動作を示す図である。
【図７】この発明の実施形態３を示す床ブラシのロータリーブラシの動作を示す図である。
【図８】この発明の実施形態４を示す床ブラシのロータリーブラシ部分を示す斜視図である。
【図９】この発明の実施形態４を示すロータリーブラシ部分の一部断面斜視図である。
【図１０】この発明の実施形態４を示すロータリーブラシの縦断面図である。
【図１１】この発明の実施形態４を示すロータリーブラシ部分の横断図である。
【図１２】この発明の実施形態４を示すロータリーブラシ部分の分解図である。
【図１３】この発明の実施形態５を示す電気掃除機の床ブラシの横断面図である。
【図１４】この発明の実施形態６を示す床ブラシのロータリーブラシ部分の横断面図である。
【図１５】この発明の実施形態７を示す床ブラシのロータリーブラシ部分の斜視図である。
【図１６】従来の電気掃除機の床ブラシを示す横断面図である。
【符号の説明】
１  床ブラシ、２  本体ケース、４  ロータリーブラシ、４ａ  軸体、
４ｂ  ブレード、５  駆動モータ、７  ノズル穴、９  本体ケース、
１１ａ  吸込口、１２ａ  空気取入口、２３  ロータリーブラシ、
２３ａ  軸体、２３ｂ  ブレード、２４  吹出口、２５  エアータービン、
２６  ビーダ（清掃体）、２７  ブレード、２８  吹出口、２９  軸体、
３０  ブレード、３１  吹出口、３２  ファン室、３４  駆動モータ、
３６、３７  吹出口。
【図１】
0003585705.tif 000002
【図２】
0003585705.tif 000003
【図３】
0003585705.tif 000004
【図４】
0003585705.tif 000005
【図５】
0003585705.tif 000006
【図６】
0003585705.tif 000007
【図７】
0003585705.tif 000008
【図８】
0003585705.tif 000009
【図９】
0003585705.tif 000010
【図１０】
0003585705.tif 000011
【図１１】
0003585705.tif 000012
【図１２】
0003585705.tif 000013
【図１３】
0003585705.tif 000014
【図１４】
0003585705.tif 000015
【図１５】
0003585705.tif 000016
【図１６】
0003585705.tif 000017